(57)【要約】【課題】  パターの練習時に人工芝生上面の傾斜角度をパタークラブなどで練習目標とするラインに応じて簡単に変えることができるパター練習具を提供するものである。【解決手段】  ホール付基台に傾斜板を連結したものと長方形状に裁断した人工芝生との組合わせによるパター練習具において、該ホールの真下に排出口のある碗型のボール受部材を形成し、該ボール受部材からやや離れた該取付板の前端部寄りには回転軸を有する角度調整台を設け、前記の取付板裏面の上板部材に支持部材を嵌め込んでなる該角度調整台を左右に動かすことによって人工芝材の上面の傾斜角度を自在に操作できるようにしてある。【選択図】  図１
2005177418.tif 000002
【特許請求の範囲】
【請求項１】
この発明は成型本体に平板よりなる傾斜板を連結したものと、長方形状に裁断した人工芝材との組合わせによるパター練習具において、成型本体は、取付板の後方寄りで略中央にホールを穿設した位置に、該ホールの真下に排出口のある碗型のボール受部材を形成し、該ボール受部材からやや離れた該取付板の前端部寄りには回転軸を有する角度調整台を設けてあり、前記の取付板裏面の上板部材に支持部材を嵌め込んでなる該角度調整台を左右に動かすことによって人工芝材の上面の傾斜角度を自在に操作できるようにしたことを特徴としたパター練習具である。
【発明の詳細な説明】
【技術分野】
【０００１】  この発明は、ゴルフのパター練習に使用するものであり、中央の設けたホールの傾斜角度を左右に変化させながら練習ができるパター練習具である。
【背景技術】
【０００２】  パターの練習において、ホールインしたことを探知する探知手段とホールインしたゴルフボールの数をカウントするカウント機能を備え、グリーン（人工芝）の傾斜角度をリモートコントロールで変えるようにしたゴルフパット練習機があり、略方形の基板上面に芝様マットを設け、前記基板の左右２本の脚片と中央に１本の脚片からなり、少なくとも左右一対の脚片でその高さ調整を可能にしたパット練習具が提案されいる。
【特許文献１】  特開２００３−１８０９００号
【特許文献２】  実開昭５８−６１２７８号
【発明の開示】
【発明が解決しようとする課題】
【０００３】  従来のパター練習具においては、ホールを設けた傾斜台に人工芝状のマットを取り付けたものや、前記の成型品からなる傾斜台に設けたホールを２乃至３個所に施し、各ホールの大きさを異なるように配設したものに人工芝マットを取り付けたもの、ホールに入ったゴルフボールが傾斜台から外に出るようにして足元に戻るものなどが知られている。
また、ホールに向かってストレートライン、フックライン、スライスラインなどの練習をするためにホールの角度が調整できるように工夫した人工芝のアンジュレーションの練習具が提供されているが、機構が複雑で操作が面倒だったり、組み立てるのに時間を要したり手間のかかるものもあった。
例えば、特開２００３−１８０９００号は報知手段や人工芝（グリーン）の傾斜角度をリモートコントロールで変えることができるが、コスト的には高価な製品なる傾向があり、脚の付いた傾斜台からなる練習具は、その脚の高さをネジで調整する必要があるため、フックラインあるいはスライスラインの練習をしたい場合、その都度、脚の高さを変えることになりワンタッチで調整が出来ない不便さがあり、ホール付近での傾斜台の高さがあるため左右に傾斜させると床面との接触が馴染まず緩やかなラインでの練習が期待できなかった。
この発明は、パターの練習時に人工芝生の傾斜角度をパタークラブなどで練習目標とするラインを簡単に変えることができるパター練習具を提供するものである。
【発明が解決するための手段】
【０００４】  前述した課題を達成するために、この発明は成型本体に平板よりなる傾斜板を連結したものと長方形状に裁断した人工芝材との組合わせによるパター練習具において、成型本体は、取付板の後方寄りで略中央にホールを穿設した位置に、該ホールの真下に排出口のある碗型のボール受部材を形成し、該ボール受部材からやや離れた該取付板の前端部寄りには回転軸を有する角度調整台を設けてあり、前記の取付板裏面の上板部材に支持部材を嵌め込んでなる該角度調整台を左右に動かすことによって人工芝材の上面の傾斜角度を自在に操作できるようにしたパター練習具である。
【発明の効果】
【０００５】  該成型体の裏面に固定してある碗型のボール受部材は、両側面壁および底面壁が湾曲しているので、角度調整台と同じ角度に支持でき、成型本体と傾斜板上にある人工芝材を片側方向に傾けた際、傾斜板付近の人工芝端面は床面上に接触した状態が維持できることから左右に動かす角度が大きく得られる。
そのため、ホールまでの高さが比較的に緩い状態でのフックライン、スライスラインの微妙なパター練習が習得でき、該ボール受部材の底面はボールの排出口に向かって下方に傾斜させているから、ホールインしたゴルフボールは、該ボール受部にゴルフボールが溜まることもない。
前記の排出口の付近に受け皿（図示せず）をおいて置けば、ホールに入ったボールを収納することができる。
【０００６】  また、成型本体の角度調整台は、上板部材の中央に穿設した切欠部に支持部材に突出させた筒状部を嵌め込んで、その回転軸孔に長目のネジを挿入しているので左右の動きは円滑であり、ネジの締め具合で動きが調整でき、上板部材の切欠部から左右両端に沿って側面壁を細くしたので前述のように傾斜板付近の人工芝材の側端面は床面上に接触した状態が維持できることから左右に動かす角度が緩やかとなり、成型本体に連結する傾斜板の長さを長くする程、ホールに向かっての傾斜も更に緩やかものになるので、ゴルフコース場での感覚に近い練習効果が期待できるものとなる。
【発明を実施するための最良の形態】
【０００７】  図面に基づいてこの発明に係るパター練習具についての最良の形態を詳細に説明する。
幅が４０ｃｍ程度で長さが４５ｃｍの寸法で厚みを２．５ｍｍとした取付板５の裏面の中央に碗型のボール受部材４をビスネジあるいは接着などで固定し、該ボール受部材４上には前記取付板５に穿設したホール６を設け、該ボール受部材４からやや離れた位置で該取付板５の前端部寄りに角度調整台３を接着してあり、該角度調整台３は、細長い形状の支持部材７と上板部材８とからなり、該取付板５の裏面にビスネジや両面接着テープなどで固定してある上板部材８の切欠部１３に支持部材７の中央に突出した筒状部１５を重なるように嵌め込んで長目のネジ１１を該筒部の回転軸孔２０に挿入してナットなどで締め付けて成型本体２を得る。【０００８】  この成型本体２の取付板５と上板部材８の隙間１９に該成型本体２と幅と長さが同じ位のサイズとした平板の傾斜板９を差し込んで連結したものに、ホール部１４を打ち抜いて幅が４０ｃｍ程度で長さが２ｍ乃至３ｍ位に裁断した人工芝材１２を貼り合わせパター練習具１を完成する。
該傾斜板９に切り欠いた２個所の切込部１６は、差し込んで連結した後に傾斜板９が左右にずれないようにするために設けてあり、取付板５の裏面または上板部材８の表面に厚さ２ｍｍ程度の横リブを施してズレを防止してある。
人工芝材１２のホール径は、成型本体２のホール６と同径であり、パター練習をする際は、該人工芝材１２の長手方向の端部に３０ｃｍ間隔の距離マークａを付けておけばホールまでの距離感覚が習得でき、またアンジュレーションパットの練習を行う時は、成型本体３と傾斜板９を連結した付近の人工芝材を手またはパタークラブで軽く押すことで練習したいラインが得られる。
例えば、フックラインの練習は、ホールに向かって人工芝材１２の左側を押すと下方設けた角度調整台３は右上がりとなり、右上がり方向に向かってボールを打てば良く、スライスラインの練習を行う場合は、人工芝材の右側を押すことで角度調整台３は左上がりとになるから、左上がりの方向に向かって打てば良いので、高さ調整をその都度行う必要がなく簡単な操作で好みの角度での練習が可能となる。
支持部材７の立壁２２を両端方向に細くし、上板部材８の切欠部１３から左右両端に沿って側面壁２１も細くしたので、傾斜板９付近の人工芝材１２の側端面は、床面上に接触した状態が維持できることから左右に動かす角度が緩やかとなり、成型本体２に連結する傾斜板９の長さを長くする程、ホールに向かっての傾斜も更に緩やかものになるので、ゴルフコース場での感覚に近いパター練習の効果が期待できるものとなる。【０００９】  また、ホールインしたゴルフボールは脚片１７を設けたボール受部材４の排出口１３から外に出されるが、一定量のボールを溜めて置きたい時には、該排出口１３と連結するような状態にして、受け皿（図示せず）を別に設置すればホールインしたボールを纏めて収めることもできる。
その他にもホールを超えたゴルフボールが人工芝材１２より外に転ばないように柔軟性のある帯状のボールストッパー１０を取付けたり、該ボールストッパーの端部から人工芝材の長手方向端部に沿わせたボールの転がりを利用した案内ガイド棒（図示せず）を設けることで、ホールインしなかったボールが足元付近まで戻すことも可能となる。
【実施例１】
【００１０】  幅が４０ｃｍ程度で長さが４５ｃｍの寸法で厚みを２．５ｍｍとした取付板の裏面の中央に碗型のボール受部材があり、該ボール受部材上には前記取付板の後方において上面から見てＵ字型に切り欠いたＵ字型ホールを穿設してあり、該ボール受部材からやや離れた位置で該取付板の前端部寄りに上板部材を設け、前記の各部材を全て一体に成型したものを成型体として、該成型体として一体となった上板部材の切欠部に支持部材の中央に突出した筒状部を重なるように嵌め込んで長目のネジ１１を該筒状部の挿入してナットなどで締め付けて成型本体を得て、傾斜板を該成型本体に蝶番などで連結する。【００１１】  この実施例による成型体は、取付板、ボール受部材および上板部材を一体成型するために、取付板を上面から見てＵ字型に切り取ったようなホール形状にしてあるが、人工芝材のホールを敷設するので、ホールの形状は円型に見えるのでパターの練習に何ら影響はなく、一体成型することで製造時の組み立て作業が容易になるパター練習具が提供できるものである。
【図面の簡単な説明】
【００１２】
【図１】  この発明に係る成型本体と傾斜板に人工芝材を組み合わせる状態を示す全体斜視図。
【図２】取付体の裏面に設けたボール受部材の斜視図。
【図３】角度調整台の展開を示す斜視図。
【図４】成型本体と傾斜板の連結状態を示す裏面の全体斜視図
【符号の説明】
【００１３】２  成型本体
３  角度調整台
４  ボール受部材
５  取付板
７  支持部材
８  上板部材
９  傾斜板
【図１】
2005177418.tif 000003
【図２】
2005177418.tif 000004
【図３】
2005177418.tif 000005
【図４】
2005177418.tif 000006